(57)【要約】【課題】グリップのエンド部に付属物を装着する凹部を形成した場合でもシャフト挿入孔の内部からエンド部の凹部にかけて亀裂等の破損が生じないようにすることである。【解決手段】シャフト挿入孔３を有する筒状のグリップ本体２のエンド部２ｃに付属物５を収納する凹部４を形成し、前記凹部４は、グリップ本体２をシャフト挿入孔３の軸線方向にグリップ本体２のエンド部２ｃ側から見たときに、シャフト挿入孔３の内側領域に形成されるように構成した。【選択図】　　　　図１
2004135984.tif 000002
【特許請求の範囲】
【請求項１】
シャフト挿入孔を有するグリップ本体のエンド部に付属物を収納する凹部を形成したゴルフクラブグリップにおいて、前記凹部は、前記グリップ本体をシャフト挿入孔の軸線方向にグリップ本体のエンド部側から見たときに、シャフト挿入孔の内側領域に形成されていることを特徴とするゴルフクラブグリップ。
【発明の詳細な説明】
【０００１】
【発明の属する技術分野】
本発明は、ゴルフクラブに用いるゴルフクラブグリップの改良に関する。
【０００２】
【従来の技術】
【特許文献１】実開昭５４−８５７６号公報
【０００３】
【特許文献１】には、グリップ上端面に凹部を設け、この凹部内に着脱できるようにボールマーカーを装着したゴルフクラブグリップが示されている。
【０００４】
特許文献１のようにグリップ上端面の凹部内にボールマーカーなどの付属物を装着した場合、グリップのエンド側（上端面側）のシャフトが挿通されていない部分が打球時などに自由に動いてしまうためシャフトとシャフト挿入孔の後端部の周縁との間で摩耗が生じる。
また、ゴルフクラブをキャディバッグに収納する時やゴルフクラブを誤ってグリップ側から地面に落下させてしまった時には、グリップのシャフト挿入孔の内部がシャフトのエンド部で押圧されることとなる。
このようなことから、シャフト挿入孔後端部の周縁より広く凹部が形成されていると、グリップのシャフト挿入孔の内部からグリップ上端面の凹部にかけて亀裂等の破損が生じるおそれがあった。
【０００５】
【発明が解決しようとする課題】
解決しようとする課題は、
グリップのエンド部に付属物を装着する凹部を形成した場合、シャフト挿入孔の内部からエンド部の凹部にかけて亀裂等の破損が生じるおそれがあることである。
【０００６】
したがって、本発明の目的は前記欠点に鑑み、グリップのエンド部に付属物を装着する凹部を形成した場合でもシャフト挿入孔の内部からエンド部の凹部にかけて亀裂等の破損が生じないようにすることである。
【０００７】
【課題を解決するための手段】
上記課題を解決するために、
請求項１に係わる本発明は、シャフト挿入孔を有するグリップ本体のエンド部に付属物を収納する凹部を形成したゴルフクラブグリップにおいて、前記凹部は、前記グリップ本体をシャフト挿入孔の軸線方向にグリップ本体のエンド部側から見たときに、シャフト挿入孔の内側領域に形成されていることを要旨とするものである。
【０００８】
【発明の実施の形態】
本発明により、グリップのエンド部に付属物を装着する凹部を形成した場合でもシャフト挿入孔の内部からエンド部の凹部にかけて亀裂等の破損が生じないゴルフクラブグリップが提供できる。
【０００９】
以下、図示の実施形態によって本発明を説明すると、図１、図２は第１実施形態で、図１はグリップの縦断面図、図２はグリップの平面図である。
【００１０】
図１に示すようにグリップ１の主たる部分となるグリップ本体２は、天然ゴムやブタジエンゴム、イソプレンゴム、スチレンーブタジエン共重合体ゴム等の合成ゴム、または、天然ゴムと合成ゴムを混合した主材料に、硫黄等の加硫剤やカーボン等の補強材等を加えて加硫成形したもので、ゴム硬度（ＪＩＳ−Ａ硬度計）３５から６０として、ゴルフクラブをスイングしたときの安定した握り感と耐摩耗性が得られるようになっており、グリップ本体２は、握持部２ａと、シャフト６を挿入し固定するためのシャフト挿入孔３と、エンド部２ｃに付属物（銘板）５を納めて固定する凹部４が一体に形成されている。
【００１１】
シャフト挿入孔３は、筒状のグリップ本体２の内側にその長手方向の軸線Ｃに沿ってグリップの先端部２ｂに開口し、エンド部２ｃに向けて延設され肉厚Ｈ３を残してシャフト挿入孔の後端部３ａで行き止まりになるように形成されている。
シャフト挿入孔３は、全長に亘って内径を同じにするか、僅かにシャフト挿入孔後端部３ａ側の内径が大きくなるように形成され、シャフト挿入孔の後端部３ａからエンド部２ｃまでの肉厚Ｈ３を４ｍｍ設けている。
【００１２】
握持部２ａは、グリップ１のうち打球時に握持される部分で、先端部２ｂから最大径部Ｐまで設けられており、シャフト挿入孔３の内周面からグリップ１の外周部分までの肉厚は先端部２ｂからエンド部２ｃにかけて徐々に厚肉となり、また、握持部２ａの外径は、シャフト挿入孔後端部３ａおよびシャフト後端部７よりエンド部２ｃ側の最大径部Ｐまで徐々に大きくなっている。
したがって、グリップ１を握持するとき最大径部Ｐが手のひらの腕に近い部分に当たる様に握持しシャフト長さ一杯を使って打球することができる。
【００１３】
グリップ１は、握持部２ａの最大径部Ｐから後端側にかけて縮径するように湾曲面が形成されてエンド部２ｃが形成され、エンド部２ｃには、凹部４が形成され、凹部４とシャフト挿入孔３は、これら凹部４やシャフト挿入孔３より径が小さい空気孔４ａで通じている。
凹部４には、これに合致する大きさの銘板やボールマーカー等の付属物５が納められて、凹部４に着脱自在に嵌合させたり、又、接着や粘着等で止着されている。
そして、凹部４は、グリップ本体２をその後端側からシャフト挿入孔３の軸線Ｃ方向にグリップ本体２のエンド部２ｃを見たとき（矢印Ｄ方向に見た時）に、シャフト挿入孔３の後端部３ａ（もしくはシャフト６の後端部６ａ）の外径で表される領域Ｅの内側に形成されている。
なお、シャフト挿入孔３の軸線Ｃはシャフト挿入孔の軸線と共通である。
【００１４】
この様なグリップ１を取り付けたゴルフクラブを使用するときは、グリップ本体２の握持部２ａの最大径部Ｐが、シャフト挿入孔の後端部３ａに突き当てたシャフト後端部６ａよりエンド部２ｃ側に位置しているため、グリップ１をシャフトの長さを十分に生かして打球できるように握ることができる一方、打球の際にシャフトの後端部６ａと最も擦れ合うシャフト挿入孔３の後端部３ａの直径Ｈ１より円形に形成した凹部４の直径Ｈ２を小さくして、しかも、その後端部３ａの周縁（領域Ｅの内側領域）より広く外周側に延びて凹部４が設けられていないため、シャフト挿入孔の後端部３ａの周縁からエンド部２ｃに至るまでの肉厚Ｈ３が設けられ、従来のグリップのよりも厚肉に形成できるため、打球時にエンド部２ｃ側のシャフト６が差し込まれていない部分が動いても破損しにくく、また、ゴルフクラブを誤ってグリップ１のエンド部２ｃ側から落としたときでも破損しにくくなる。
【００１５】
なお、グリップ１の肉厚Ｈ３は４ｍｍ以上が好ましい。
これについて、グリップ１の肉厚Ｈ３を２ｍｍ、３ｍｍ、４ｍｍ、５ｍｍに変えたサンプルを作成し、３００ｇのヘッドを取り付けたシャフトに取付けて１ｍの高さから落下させた結果、肉厚Ｈ３を２ｍｍとしたグリップは、落下５回で破損し、３ｍｍのものは１０回で破損したが、４ｍｍ、５ｍｍのものは１０回でも破損しないことを確認した。
【００１６】
【発明の効果】
本発明は、以上説明したような形態で実施され、以下に記載されるような効果を奏する。
【００１７】
グリップのエンド部に付属物を装着する凹部を形成した場合でもシャフト挿入孔からエンド部の凹部にかけての破損が生じない。
【図面の簡単な説明】
【図１】
第１実施例で、グリップの断面側面図である。
【図２】
同グリップの平面図である。
【符号の説明】
１　グリップ
２　グリップ本体
３　シャフト挿入孔
４　凹部
５　付属品
６　シャフト
【図１】
2004135984.tif 000003
【図２】
2004135984.tif 000004